(57)【要約】【課題】カニューラを、対象の皮膚内で、その完全な深さに、正確に挿入する。【解決手段】カニューラが、対象の皮膚内で、その完全な深さに、正確に挿入されているかどうかを検出するセンサーが開示される。センサーは、血糖値モニター、または、連続式のインシュリン注入ポンプ、注入セット、または、断続、または、連続する検査、および／または、薬剤送達を含む他のシステムと共に用いられ得る。【選択図】図２Ａ
2020073199.tif 000002
【特許請求の範囲】
【請求項１】
挿入モニターであって、
頂部と、挿入部位に近接して対象の皮膚に配置されるように適合させられた基部を有するハウジングと、
前記基部から遠位に突出する、前記対象の皮膚に挿入するように適合させられたベベルを備える遠位端と、前記ハウジング内に固定された近位端を有する、カニューラ、カテーテルまたはプローブと、
少なくとも一対の機械的柱状体であって、各柱状体は、前記カニューラ、カテーテルまたはプローブの近傍の前記基部の中央領域において、前記基部から遠位に突出する遠位端と、前記ハウジング内の近位端を有する、前記柱状体とを含み、
各柱状体は、前記対象の皮膚への前記カニューラ、カテーテルまたはプローブの挿入に対応して挿入状態の報知を提供するため、前記ハウジング内で、近位に、独立して移動することを特徴とする挿入モニター。
【請求項２】
請求項１の挿入モニターであって、前記一対の柱状体の一方が、前記一対の柱状体の他方より、前記ハウジング内において、近位により大きな距離を移動するとき、前記カニューラ、カテーテルまたはプローブの傾斜挿入が報知されることを特徴とする挿入モニター。
【請求項３】
請求項１の挿入モニターであって、前記機械的柱状体の前記近位端は、前記カニューラ、カテーテルまたはプローブが完全な貫通深さに到達するとき、前記ハウジング内の表面と接触することを特徴とする挿入モニター。
【請求項４】
請求項１の挿入モニターであって、さらに、前記ハウジングの頂部表面に窓を含み、前記窓を通して、前記柱状体の前記近位端が、可視であり、前記カニューラ、カテーテルまたはプローブが完全な貫通深さに到達したとの可視的な報知を提供することを特徴とする挿入モニター。
【請求項５】
請求項１の挿入モニターであって、さらに、前記ハウジング内に高分子の色変化材料を含み、前記高分子の色変化材料と前記柱状体の一方または双方の接触が、可視の色変化をもたらし、前記カニューラが、完全な貫通深さに到達したとの報知を提供することを特徴とする挿入モニター。
【請求項６】
請求項３の挿入モニターであって、前記ハウジング内での前記表面との接触が、挿入状態の報知を生成するための、可視光、可聴警報、感知できる振動、および、遠隔装置に送信される信号からなる群から選択される少なくとも一つを作動させる電気回路を閉鎖することを特徴とする挿入モニター。
【請求項７】
請求項１の挿入モニターであって、前記一対の機械的柱状体の各々は、前記カニューラが前記挿入部位に完全に挿入されるとき、前記ハウジングの前記頂部から突出し、前記ハウジングの表面で使用者のために触覚の目印を提供し、前記カニューラ、カテーテルまたはプローブが完全な貫通深さに到達したとの触覚の報知を生成することを特徴とする挿入モニター。
【請求項８】
請求項１の挿入モニターであって、さらに、挿入状態の報知を受ける挿入部位から離れた血糖値モニターを含むことを特徴とする挿入モニター。
【請求項９】
請求項１の挿入モニターであって、さらに、挿入状態の報知を受ける前記挿入部位から離れた薬剤源を含むことを特徴とする挿入モニター。
【請求項１０】
請求項１の挿入モニターであって、さらに、前記対象の皮膚の下の皮下腔にカニューラのベベルを押し進める、前記ハウジング内の自動カニューラ挿入機構を含むことを特徴とする挿入モニター。
【発明の詳細な説明】
【技術分野】
【０００１】
本発明は、医療装置の分野に属する。特に、本発明は、カニューラまたはカテーテルのような経皮薬剤送達装置またはセンサーのような診断装置が、使用者の体の挿入部位に完全に挿入されているかを自動的に検出するための方法および装置に向けられる。本発明は、血糖値モニターのような血液検査装置、インシュリン注入ポンプまたはパッチのような薬剤送達装置と一緒に使用され得るが、そのような装置に限定されない。
【背景技術】
【０００２】
体に装着される血液検査装置または薬剤送達装置は、操作するために、患者の体に正確に挿入される、カニューラ、カテーテルまたはプローブを有さねばならない。不完全な挿入は、使用者による不完全な挿入または使用中における体からの装置の離脱からの、皮膚の屈曲またはテンティングに起因し得る。そのような装置は、しばしば、送達装置が正確に挿入されることの確認を可能にするメカニズムを有しない。
【０００３】
先行技術として知られる薬剤送達装置の一例としての、参照によって組み込まれる、特許文献１は、自動カニューラ挿入機構を有する、体に装着される薬剤送達装置を記述する。特許文献２は、体に装着される装置の一部であり得る、電気化学的血糖プローブを記述し、そのセンサー／プローブ技術の記述に対する参照によって、同様に、組み込まれる。
【０００４】
経皮注射は、皮内（ＩＤ）領域、皮下（ＳＣ）領域および筋肉内（ＩＭ）領域に行われる。インシュリンを含む種々の注射可能な薬剤にとって、ＳＣ領域は、皮下領域の脂肪層を通る血流のため、注射を行うのに望ましい。例えば、非特許文献１を参照。代わりに、注射は、また、皮膚内に行われ得る。多くの薬剤送達装置は、不適切な挿入のため、ＳＣ領域への送達を確実に保証し得ない。
【０００５】
カニューラ、カテーテルおよびプローブが、使用者の皮膚に対して角度をもって配向されると、装置の先端は、挿入後、所望のＳＣスペースへ到達し損なうかもしれない。
【０００６】
血糖値などの生体内監視は、典型的には、使用者の体に装着され、挿入部位において使用者の皮膚に挿入された、カニューラ、カテーテルまたはプローブに取り付けられた、オンボディセンサ（ＯＢＳ）に取り付けられたプローブを用いてなされる。挿入領域において検出するためのプローブの能力は、それを意図された場所に置くための使用者の能力によって、大いに有効にされ、また、無効にされる。所望の場所にプローブを挿入することおよび維持することは、しばしば、信頼できないことがあり、使用者は、信頼の無さに加える、異なった実践を使用することがあり得る。設置は、しばしば、両手での操作を必要とし、不快感をもたらす。同様に、カニューラが連続的な薬剤送達のために挿入されることを要求される、インシュリンパッチポンプおよび注入セットのような、自動薬剤送達のための異なる市販の利用可能なシステムは、一般的に、カニューラが不正確に挿入されるか、または、挿入ポイントに配置させられるとき、簡単な、かつ、信頼できる装置フィードバックを欠く。
【先行技術文献】
【特許文献】
【０００７】
【特許文献１】米国特許第８４７５４３２号明細書
【特許文献２】米国特許第８６０３０７５号明細書
【非特許文献】
【０００８】
【非特許文献１】Lo Prestiら「糖尿病の子供における注射部位での皮膚および皮下厚さ−超音波所見および注射時における推奨」、小児糖尿病（２０１２）
【発明の概要】
【発明が解決しようとする課題】
【０００９】
従来技術において確認された問題を考慮して、本発明の一つの目的は、カニューラ、カテーテルまたはプローブが体に装着される装置における注入深さセンサーを提供することである。本発明の他の目的は、カニューラ、カテーテルまたはプローブが、正確な挿入深さに到達することを確実にすることである。本発明のさらなる目的は、カニューラ、カテーテルまたはプローブの信頼できる挿入および検出のための簡単な機構を提供することである。さらに、本発明のさらなる目的は、カニューラ、カテーテルまたはプローブが角度をもって配向されると、使用者に警告することである。本発明のこれらの、および、他の目的は、以下に示され、説明されるような、挿入モニター、および、使用の方法で達成される。
【課題を解決するための手段】
【００１０】
一つの態様において、本発明は、頂部、および、対象の皮膚の挿入部位に近接して配置されるように適合させられた基部を有するハウジングを含む、挿入モニターである。カニューラ、カテーテルまたはプローブは、場合によって、対象の皮膚に挿入するために適合させられたベベルを有する遠位端と、ハウジング内の近位端を有する。カニューラ、カテーテルまたはプローブに近接するハウジングの基部の中央領域における一対の電極が、カニューラ、カテーテルまたはプローブが完全に貫通深さに到達したときに、対象の皮膚と接触する。一対の電極を含むセンサー回路が、電極が対象の皮膚と接するとき、センサー回路内の電気的特性の変化を検知し、および、接触が妨げられたとき、電気的特定の変化に反応して警報機構をトリガーし、カニューラの挿入状態の報知を提供する。
【００１１】
本発明の別の態様において、本発明による挿入モニターは、カニューラ、カテーテルまたはプローブの対向する側部にセンサーを備え、カニューラ、カテーテルまたはプローブが、注入部位において角度をもって配向されたかどうかを検出し、不正確な挿入を検出または防止し得る。追加のセンサー（すなわち、三つ、四つまたはもっと多くのセンサー）は、傾斜挿入が生じたかどうかを決定するために用いられ得、センサーは、挿入状態に関する決定をするために互いに対向して配置される必要はない。
【００１２】
別の態様において、本発明による挿入モニターは、挿入指示機構としての一対の機械的柱状体を使用する。この態様において、本発明は、頂部および挿入部位に近接して対象の皮膚に配置されるように適合させられた基部を有するハウジングを含む。カニューラ、カテーテルまたはプローブは、基部から遠位に突出する、対象の皮膚内への挿入に適合させられたベベルを有する遠位端と、ハウジング内の近位端を有する。少なくとも一対の機械的柱状体が、カニューラ、カテーテルまたはプローブに近接する基部の中央領域において基部から遠位に突出する、それぞれの遠位端と、ハウジング内のそれぞれの近位端を有して提供される。対象の皮膚内へのカニューラの挿入に応じて、ハウジング内を近位に移動する柱状体は、カニューラ、カテーテルまたはプローブの挿入状態の報知を提供する。報知は、モニターまたは薬剤送達装置のような遠隔装置に送信される信号、または、装置ハウジングでの、可視、可聴、および／または、触知の報知であり得る。「遠隔装置」は、スマートフォン、タブレットなどを含み得る。「遠隔薬剤供給源」は、また、従来のチューブポンプ制御器およびワイアレスポンプ制御器を含むように理解される。
【００１３】
他の実施形態において、一対の機械的柱状体は、カニューラ、カテーテルまたはプローブの対向する側部に設けられ、傾斜挿入の報知は、一対の機械的柱状体の一方が、一対の他方よりも、ハウジング内において、近位に、より大きな距離を移動するとき、発生させられる。
【００１４】
本発明の別の態様において、本発明による挿入モニターは、装置ハウジングに受け入れられ、カニューラ、カテーテルまたはプローブを取り囲む、ばね付勢されたカラーを使用し得る。この態様において、本発明は、挿入部位に近接して対象の皮膚に配置されるように適合させられ、カニューラ、カテーテルまたはプローブを取り囲む、ばね付勢されたカラーを受け入れる凹所を有する、ハウジングを含む。カニューラ、カテーテルまたはプローブは、ベベルを備えた遠位端と近位端を有する。ばね付勢されたカラーは、カニューラ、カテーテルまたはプローブを取り囲むカラーと、ハウジング内の凹所とカラーとの間に配置されたばねを含む。センサーは、ばね付勢されたカラーが、カラーの遠位面がハウジングの遠位面と一緒の平面にある状態で、ハウジングの凹所に完全に収容されるときを検知し、挿入状態を報知する警報機構をトリガーする。
【００１５】
本発明の別の態様において、一つ以上の電極が、注入部位において対象の組織の電気的特定を検出するためにカニューラ自身に配置され、注入状態を監視する。これは、カニューラの絶縁層に配置された二つの電極を含み得、電極の間の電流または他の電気的特性を検出する。代わりに、カニューラ自身が、電気的接点を提供し、別の接点は、上述の本発明の最初の態様のように、注入部位に近接したハウジングの基部に配置される。
【００１６】
例えば、そして、限定としてではなく、これらの実施形態の一つによるカニューラ挿入モニターは、ベベルを備える遠位端とハウジング内に配置される近位端を有するカニューラ、カニューラ上の電気的絶縁層、絶縁層上の電気的に導電性の遠位電極、および、絶縁層上の遠位電極の近位に配置された電気的に導電性の近位電極を含む。ハウジングは、対象の皮膚に配置されるように適合させられ、遠位電極と近位電極との間の電気的特性の変化を検出するため、遠位電極と近位電極に電気的に接続されたセンサー回路を含む。検出された電気的特性の変化に対応する警報メカニズムは、挿入状態の報知を提供する。
【図面の簡単な説明】
【００１７】
【図１】挿入部位での電気的接点が、カニューラが正確に挿入されたかどうかを監視するためにセンサー回路に接続される、本発明の実施形態による挿入モニターを示す図である。
【図２Ａ】カニューラ挿入部位に近接する一対の機械的柱状体を使用する、本発明の他の実施形態による挿入モニターを示す図である。
【図２Ｂ】カニューラ挿入部位に近接する一対の機械的柱状体を使用する、本発明の他の実施形態による挿入モニターを示す図である。
【図２Ｃ】カニューラ挿入部位に近接する一対の機械的柱状体を使用する、本発明のさらに他の実施形態による挿入モニターを示す図である。
【図２Ｄ】カニューラ挿入部位に近接する一対の機械的柱状体を使用する、本発明のさらに他の実施形態による挿入モニターを示す図である。
【図３Ａ】カニューラを取り囲むばね付勢されたカラーを使用する、本発明の別の実施形態によるカニューラ挿入モニターを示す図である。
【図３Ｂ】カニューラを取り囲むばね付勢されたカラーを使用する、本発明の別の実施形態によるカニューラ挿入モニターを示す図である。
【図３Ｃ】カニューラを取り囲むばね付勢されたカラーを使用する、本発明の別の実施形態によるカニューラ挿入モニターを示す図である。
【図４Ａ】カニューラ上の電極、または、カテーテル自身を使用する、本発明の別の実施形態によるカニューラ挿入モニターを示す図である。
【図４Ｂ】カニューラ上の電極、または、カテーテル自身を使用する、本発明の別の実施形態によるカニューラ挿入モニターを示す図である。
【発明を実施するための形態】
【００１８】
図は、概略だけであり、縮尺に合わせて引かれていない。
【００１９】
本発明は、挿入された、または、留置された送達装置、または、使用者によって装着されたプローブを有する、任意の薬剤送達、検知、および／または、検査適用に有用である。例えば、そして、限定としてではなく、「薬剤送達」は、チューブによってパッチに取り付けられた注入ポンプを含み、パッチは、プラスチックカテーテルを介して、使用者の体に取り付けられる。注入のためのプラスチックカテーテルは、しばしば、その中に挿入ニードルを有し、そこに鋭利なベベルが配置される。その場合、本発明は、カテーテルが正確に位置していることを保証するために使用される。代わりに、注入装置は、カテーテルを使用することなく、薬剤送達のために皮膚に直接金属カニューラを挿入し得る。同様に、血液検査のための検知装置は、プローブを収容するカテーテルを使用し得（この場合、挿入モニターがカテーテルの挿入状態を検出する。）、または、プローブは、皮膚に直接挿入され得る（この場合、挿入モニターは、プローブ自身の挿入状態を検出する。）。多くのグルコース監視センサーは、鋭利なベベルを供給する挿入ニードル（「オーバーニードル」と称される。）を有し、オーバーニードルは、最初の切開後、患者から引き抜かれる。これらの実施形態の全てにおいて、挿入検出は、使用者に、センサーまたはプローブが正確に挿入され、その機能を発揮する準備ができているとの報知を提供する。本明細書で使用されるように、「カニューラ」のための挿入検出に関する開示は、カテーテルまたはプローブに負けず劣らず適合することが理解される。
【００２０】
本明細書で使用されるように、「遠位」方向は、カニューラ挿入の方向であり、「近位方向」は、反対の方向である。本発明による、ある挿入モニターは、（ｉ）カニューラが完全に挿入され、関連づけられた装置と共に使用する準備ができている、（ｉｉ）カニューラが完全に挿入されておらず、使用するための準備ができていない、を意味する、「カニューラ挿入状態」の可視、可聴、および／または、触知の報知を提供する。実施態様に依存して、モニターは、準備完了状態（ｉ）、準備未完状態（ｉｉ）または、（ｉ）および（ｉｉ）の両方の報知を提供し得る。代わりに、または加えて、カニューラ挿入状態の報知は、装置内の他の構成要素に伝達され、使用者に、可視、可聴、および／または、触知の結果を提供することなく、例えば、薬剤送達または血液検査を開始し、または、停止する。「触知」の報知は、振動モードを含む。
【００２１】
本発明の挿入モニターは、カニューラ、カテーテルまたはプローブがある期間皮膚内に挿入される、制限なく、血糖値モニター、インシュリン注入セット、または、オンボディ注入ポンプを含む、任意のシステムと共に使用され得る。これらのシステムは、注入部位に近接したハウジングに自動挿入機構を有し得、挿入機構を介して遠隔的に作動させられ得、または、カニューラは、使用者によって手動で挿入され得る。プローブは、当該技術分野において知られているように、血糖の電気化学的決定のための試薬および電気接点を備え得る。
【００２２】
図１は、挿入モニター１００の実施形態を示し、電気接点１１０、１１２は、センサー１００の中央部１１８の周りの領域に、すなわち、ハブ１０９に支持されたカニューラ１４０に近接して設けられる。この実施形態において、ハウジングの基部１１４は、カニューラ１４０が完全に挿入されるとき、皮膚に対して同一平面に配置される。基部は、可撓性であり得、皮膚に接着させ、合わせるために、いくつかの実施形態において、接着剤を備える。電気的接点１１０および１１２は、カニューラ１４０が挿入されるとき、両方の接点１１０、１１２が対象の皮膚に接触し、しかし、皮膚がテント状とされたとき、接触し損なうほどに、カニューラ１４０に近接して配置される。皮膚のテンティングは、カニューラまたはカテーテルが、場合によって、例えば、皮膚の局所的な硬い領域または毛包に遭遇するときに生じ得るように、カニューラ１４０が、標的にされる皮下腔に完全に貫通することに代わって、皮膚を遠位に押すときに生じ得る。図３Ｃの異なる実施形態に示されるように、テンティングは、カニューラに近接する皮膚の領域が、装置の基部と接触しないことを引き起こす。皮膚１０１が装置の基部１１４から離れて押されるとき、接点１１０および１１２は、接触不良を示すであろう。この目的のために、接点は、カニューラまたはカテーテルに実質的に近接して、場合によって、約１２ｍｍの距離までに、配置され得る。１２ｍｍよりも大きい距離は、テンティングによる不十分なカニューラの貫通深さによる、浅い注入の可能性を示し損なう。カニューラは図１に示されるが、当業者は、注入用の多くのカテーテルが、その中に挿入ニードルを有し、この場合、挿入モニターが、カテーテルの挿入状態を提供するために、典型的には、カテーテルに対して備えられるであろうことを理解するであろう。
【００２３】
両方の電気的接点１１０、１１２が皮膚と接触するとき、センサー回路は、センサー回路１１６における電気的特性の変化、典型的には、キャパシタンスの増加を検出する。タッチセンス装置は当該技術分野において知られており、装置の電極は、コンデンサーの荷電板として機能し、使用者の体が、電極に近接させられるとき、第二のキャパシタプレートとして機能する体と共に、仮想コンデンサーが形成される。キャパシタンスは、キャパシタンス−デジタル変換器（ＣＤＣ）を用いて測定される。すでに、健康管理の面で使用されている、この技術は、センサー回路１１６に接続された電気的接点１１、１１２を備えた、本発明による挿入深さセンサーと一緒の使用のために容易に適合させられ得、電気的接点が使用者の皮膚と接触するに至るときに変化する電気的特性を測定する。キャパシタンスに関して説明されたが、当業者は、皮膚が、この測定をなすために活用され得る他の電気的特性を有することを認識するであろう。したがって、抵抗、インピーダンス、または、導電率のような、他の電気的特性が、注入部位において、適切な接触が、電極１１０、１１２と皮膚との間でなされているかどうかを決定するために測定され得る。該して、電気的な特性は、皮膚が直接接触させられる、および、センシング電極が近接するが皮膚に接触しないという、二つの方法で測定され得る。キャパシタンスの変化は、皮膚接触なしに測定され得、抵抗の変化の測定は、皮膚接触を必要とする。一対の電気的接点１１０、１１２に加えて、追加の電極点センサーが、挿入領域に近接して含まれ得る。
【００２４】
センサー回路１１６は、警報メカニズム１２０に送信される、電気的特性の変化に対応する信号を生成し、信号は、発光ダイオード（ＬＥＤ）１２２のような、一つ以上の可視光、一つ以上の可聴警報１２４、または、ＬＥＤおよび可聴警報の組合せの形であり得る。警報メカニズム１２０は、感受できる振動を生成し得る。代わりに、センサー回路１１６は、遠隔の検査または送達装置にカニューラ挿入状態の指示を提供し得る。同様に、例えば、テンティングまたは屈曲によって引き起こされる皮膚状態の変化によって、または、皮膚１０１からハウジング１０８の基部１１４を引き離すことによってもたらされ得る、皮膚接触の途絶は、異なった信号が、センサー回路によって送信されることをもたらし、使用者、または、装置と、カニューラ挿入が失敗状況にあることを伝える。単純な例において、赤色のＬＥＤは、カニューラが正確に挿入されていないことを報知し、緑色のＬＥＤは、カニューラが正確に挿入されていることを報知する。代わりに、または、加えて、カニューラ挿入状態は、血糖値モニターまたは注入ポンプのような周辺装置に送信され得る。
【００２５】
カニューラ、カテーテルまたはプローブの傾斜挿入は、カニューラ、カテーテルまたはプローブの先端が、所望の皮下腔に到達し得ないので望ましくない。挿入部位の近傍に二つの接点を有する挿入モニターは、傾斜挿入の検知を可能にする。例えば、一対の電気的接点のうちの一つが、対象の皮膚と接触し、他方が接触しないとき、モニターは、警報機構をトリガーし、傾斜挿入を報知する。これは、使用者に角度を固定するようにさせ、または、周辺装置を、注入または検査を停止することのような、適切な動作に向ける。
【００２６】
本発明によるさらなる実施形態が図２Ａおよび図２Ｂに示され、少なくとも一対の機械的柱状体２３０、２３２が、カニューラ２４０の両側で、カニューラ２４０の近傍に配置される。柱状体は、好ましくは、カニューラから１２ｍｍ未満の距離に配置され、場合によって、注入部位において、皮膚２０１が、ハウジング２０８の基部２１４から離れてテント状とされたとき、装置が、完全に挿入されたと意識することを防止する。
【００２７】
柱状体２３０、２３２は、カニューラ２４０が、挿入されると、ハウジング２０８内を近位に移動する。カニューラ（または、場合によってカテーテル）は、挿入部位に対してハウジングを押し付けることによって、または、糖尿病治療分野において、また、行われているように、自動挿入機構を提供することによって、挿入され得る。示された例において、挿入モニター２００は、基部２１４および頂部２０８を含む。カニューラ２４０は、ハブ２０９に支持され、対象の皮膚への挿入のために、基部２１４から遠位に突出するベベルの付いた端部を有する。柱状体２３０、２３２は、ハウジング２０８が所定位置に置かれたとき、ハウジング２０８から突出し、基部２１４が皮膚に対して同一平面にあるとき、柱状体は、好ましくは、柱状体２３０、２３２の遠位表面が基部２１４と同一平面にあるように配設される。カニューラ２４０が、皮膚に挿入されると、柱状体は、カニューラの挿入に対応してハウジング内を近位に移動する。この柱状体２３０、２３２の近位移動は、注入部位へのハウジング２０８および基部２１４の移動によってはもちろん、ハブ２０９内における、柱状体２３０、２３２の係合によっても制御される。この目的のために、柱状体２３０、２３２は、金属または成型ポリプロピレン（ＰＰ）、または、成型アクリロニトリルブタジエンスチレン（ＡＢＳ）のような剛性材料から形成され、柱状体は、基部が、皮膚に近接して配置されるに至ると、ハウジングの頂部に向って近位に移動する。基部２１４は、着用者の体に適合させるために可撓性にされ得るが、柱状体２３０、２３２は、ハブ２０９との係合の結果として、カニューラと平行な、垂直位置を維持する。
【００２８】
カニューラ２４０が、完全な挿入深さに達すると、柱状体２３０、２３２の近位端は、ハウジングの頂部の窓２２４、２２６を通して可視となる。代わりに、または、加えて、図２Ｂに模式的に示されるように、機械的柱状体２３０、２３２は、カニューラが完全な貫通深さに達するとき、ハウジング内において、それぞれの表面２２５、２２７と接触し得る。表面２２５、２２７は、センサー回路２１６内における一つ以上の回路を閉鎖し得る電気的接点であり得、使用者に可視または可聴で送信され、カニューラ２４０が完全な貫通深さにあることを報知する警報メカニズムを発生させ、または、糖モニターまたは注入ポンプのような周辺装置への電気的信号を生成する。代わりに、接点２３４、２３６は、高分子の色変化材料が可視の色変化を受けることをもたらし得、カニューラ２４０が、完全な貫通深さに達したことの報知を、窓２２４、２２６を通して提供する。同様に、カニューラが、注入部位に正確に位置していないとき、ハウジング内の表面と柱状体との接触が断たれ、異なる可聴または可視の報知が、使用者に警報を与えるために発生させられ得る。用途に応じて、例えば、注入を停止するために（遠隔構成要素を有するポンプまたはパッチにおいて）、または、検査を停止するために（遠隔的に配置された糖モニターまたは注入ポンプにおいて）、情報が、システムの周辺構成要素に送られ得る。
【００２９】
一対の柱状体２３０、２３２の一方が、表面２２５、２２７と接触し、他方が接触しない場合、これは、傾斜した挿入状態を報知し得、ＬＥＤ２２９または可聴警報２２３を用いた、可視の、および／または、可聴の警報を発生するように用いられ得、また、可能性のある傾斜挿入状態を報知する、遠隔装置に送信される信号を発生するように用いられ得る。
【００３０】
図２Ｃおよび図２Ｄの実施形態において、柱状体２３０、２３２は、カニューラが完全な貫通深さに到達したとの、使用者に対する触知の報知を提供する。これは、例えば、ハウジング２０８が、視界から外れて、例えば、腹の背部に配置されると、有用である。この実施形態において、柱状体２３０、２３２は、窓２２４、２２６を通して、ハウジング２０８の頂面から突出し、使用者は、カニューラが注入部位において完全に配置されたことを確実にするために、突出する先端を感知し得る。停止部２１９がハブ２０９内で柱状体２３０、２３２と係合するように設けられ、柱状体の移動を制御し、柱状体２３０、２３２がハブ２０９から分離することを防止する。
【００３１】
本発明の更なる別の実施形態が、図３Ａ、図３Ｂおよび図３Ｃに示され、カニューラ、カテーテルおよびプローブが、皮膚の表面に対して完全な深さに挿入されたかどうかを検知する。他の実施形態と同様、この実施形態の装置は、オンボディセンサ（ＯＢＳ）（または他の装置の構成要素）における不十分に挿入されたカニューラに対して、連続式糖モニター（ＣＧＭ）の使用者（または他の装置の使用者）に警告するために用いられ得る。この実施形態は、ばね負荷された、カニューラと同心円をなす、滑動カラーを含み、ＯＢＳ挿入の前、それは、装置の底部の平面を超えて突出する。カニューラの正確な、完全な深さの挿入で、ＯＢＳ底部の平面は、皮膚の平面と接触し、カラーをＯＢＳ基部の凹所に押し入れる。凹所が占有されたとき、電気的、磁気的、または、光学的検出装置が、凹所の占有状態を検出し、場合によって、正信号を、遠隔センサーまたは送達システムのディスプレイに、または、電気的およびソフトウエアシステムに供給する。皮膚が、ハウジング基部と完全に接触しない場合（皮膚がカニューラ貫通後平らに復帰しない、「テンティング」の状態にあるときのような）、カラーは、凹所を占有せず、何の信号も生成されない。
【００３２】
図３Ａ、３Ｂおよび３Ｃの実施形態において、ハウジング３０１は、カニューラ３４０上を滑動するカラー３２０を収容する、凹所３０２を含む。カニューラに関連して説明されるが、当業者は、システムが、カテーテルの挿入検出にも同様に適合させられることを理解するであろう。示される実施形態において、カラー３２０は、圧縮ばね３３０のバイアスで遠位に付勢される。カニューラ３４０は、当該技術分野において一般的に知られ、理解されるように、および、前述の実施形態に関連して説明されたように、好ましくはハブ（不図示）を用いて、ハウジング３０１内に支持される。
【００３３】
図３Ｂは、カラー３２０が完全に凹所３０２内に配置され、カラー３２０の遠位側がハウジングの遠位側と整列させられ、使用者の皮膚３０３の近傍に配置された状態を示す。示された実施形態において、電気的接点３１２および３１４は、カラーが凹所に配置されるとき閉鎖され、回路３１０を介して、カニューラ３４０が完全に挿入されたという信号を送る。この方法において、糖モニターまたは注入ポンプは、操作を開始するか、再開するための信号を受け取る。代わりに、または、加えて、カニューラ挿入の「準備完了」状態は、ＬＥＤまたは可聴警報、または、それらの組合せを用いて、可聴的に、または、可視的に報知され得る。他の実施形態において、電気的接点３１２および３１４の代わりに、光学的または磁気的センサーが使用され得る。
【００３４】
図３Ａは、カニューラ３４０が注入部位に完全に挿入されないかもしれない第一の例を示す。この状態において、使用者の皮膚に対してカラーを付勢するように用いられる圧縮ばね３３０は、完全に伸長させられ、カラー３２０は、凹所３０２に配置されない。この状態は、接点３１２、３１４（または他のセンサーシステム）によって検知され、および、警報メカニズムが、周辺のユーザーインターフェース装置に対して、トリガーされる。図３Ｃは、テンティングによってもたらされる対象の皮膚の平面の途絶が、凹所３０２内へ配置されるべきカニューラカラー３２０の欠落の結果となる、図３Ａと同様な、第二の例を示す。これらのケースにおけるカニューラ挿入の状態は、ＬＥＤまたは可聴警報を介して生成される、適切な警報によって、または、糖モニターまたは注入ポンプのような周辺装置に、カニューラの「準備未完了」状態に関する信号を送ることによって、報知される。
【００３５】
図４Ａおよび図４Ｂの実施形態は、電気的接点がカニューラに配置され、接点によって検知される皮膚または間質性液体の導電特性の変化が、カニューラの挿入状態を決定するのに用いられることを除いて、図１の実施形態と類似する。先の実施形態と同様、ハウジング１０８（糖監視オンボディセンサまたは注入セットまたはポンプの部分であり得る）は、カニューラ１４０が挿入される部位において、使用者の皮膚１０１に配置される基部１１４を含み、カニューラ１４０は、ハブ１０９に支持される。カニューラ１４０は、絶縁層１１５を備え、電気的に導電性の遠位電極１６４と近位電極１６２が、絶縁層１１５に配置される。図４Ａに見られるように、カニューラ１４０が対象の皮膚に完全に挿入されるとき、電極１６４および１６２は、共に、間質液の電解質の比較的な高濃度のために一般的に明確にされた導電性を有する、間質空間内にある。センサー回路１１６内の電流は、電極間を流れる。カニューラが、例えば、皮膚の表面が、図４Ｂにおけるように、テンティングによりゆがめられるときのように、完全に挿入されないなら、近位の電極１６２は、間質空間１０５に入らないであろうし、電極１６２、１６４間の導電性は、予測される方向に影響を受けるであろう。同様に、カニューラが、最初に正確に挿入され、その後に乱されたら、導電性の急速な変化が生じるであろう。
【００３６】
電極１６２および１６４の間の導電性に変化が生じるとき、センサー回路１１６内で検出される回路の状態は、周辺の使用者インターフェース装置に伝えられ得、例えば、使用者に、装置が皮膚内に正確に挿入されていないことを警告するために警報をトリガーする。糖モニターの場合において、例えば、電極１６２、１６４の間の十分な導電性を示す信号は、開始または再開するために、糖モニタリングの必要な条件とされ得る。装置が薬剤送達装置であるなら、挿入モニターは、薬剤送達を、トリガーし、停止し、または、中断する。代わりに、可聴警報１２４またはＬＥＤ１２０のような可視報知器が、使用者にカニューラ挿入状態の報知を提供するために用いられ得る。センサー回路は、カニューラ挿入の状態についての情報を得るために、導電性以外の電気的特性を検知し、評価し得る。例えば、カニューラ１４０が完全に挿入されるか、完全に挿入されないとき、電極１６２、１６４間のキャパシタンスが、カニューラの挿入状態と互いに関係を有し得る。
【００３７】
先の実施形態において、対象の組織に挿入されるカニューラまたはプローブは、好ましくは、ステンレス鋼である。抵抗層１１５および電極１６２、１６４は、化学蒸着（ＣＶＤ）、プラズマ励起化学蒸着（ＰＥＣＶＤ）、プリンティング、および、類似の方法を含む、当該技術分野で知られた手段によって、カニューラに堆積させられ得る。
【００３８】
ステンレス鋼カニューラ自身が電極として機能する場合において、カニューラは、抵抗性のインクをローラで付けられるか、ブラシ塗りされ、対象の体に露出されるベベルに近接した選択領域を、導電性としておく。カニューラ１４０は、その後、ハウジング１０８の他の電極と対にされ、ハウジングの電極とカニューラ１４０間の電気的特性は、センサー回路１１６によって検出され、カニューラ挿入状態と関係づけられる。
【００３９】
好まれる実施形態の先の説明は、本発明を限定するものとみなされるべきでなく、本発明は、添付の特許請求の範囲によって明らかにされる。先の開示に依拠する当業者は、特許請求された本発明の範囲から逸脱することなく、説明された実施形態の変形例を実践し得る。例えば、血糖値モニタリング、および、糖尿病の処置のためのインシュリンの連続送達に関連して多く説明されたが、当業者にとって、注入ポンプは他の薬剤を送達するのに適合させられ、モニターは、他の分析物のための検査に適合させられることは明らかであろう。一実施形態または独立項に関連して説明された態様または従属項の限定は、本発明の範囲から逸脱することなく、他の態様または独立項と一緒の使用のために適合させられる。例えば、カニューラ挿入検知は、カニューラが、使用者がハウジングを押し付けることによって、手動で挿入されるケースにおいて、有利に使用され得、カニューラが、自動注入によって使用者の組織に推進させられるケースにおいて、等しくよく使用され得る。
【図１】
2020073199.tif 000003
【図２Ａ】
2020073199.tif 000004
【図２Ｂ】
2020073199.tif 000005
【図２Ｃ】
2020073199.tif 000006
【図２Ｄ】
2020073199.tif 000007
【図３Ａ】
2020073199.tif 000008
【図３Ｂ】
2020073199.tif 000009
【図３Ｃ】
2020073199.tif 000010
【図４Ａ】
2020073199.tif 000011
【図４Ｂ】
2020073199.tif 000012